(57)【特許請求の範囲】
【請求項１】
ボルトが挿通される被締結部材とこのボルトに螺合されるナットとの間に介設されるフランジリングと、ナットを包囲するようにフランジリングを挟持して施錠可能な抱持体とからなり、
前記フランジリングは、前記被締結部材との間に所要間隔を置いた位置において前記ナットの外径の外側へ広がるフランジ部を具備し、
前記抱持体は、装着時に前記ボルトと平行となる枢軸により互いに枢支されフランジリングを挟持する閉鎖位置とこれを解放する開放位置との間で開閉自在の第１及び第２の挟持部材と、第１の挟持部材に固着され前記第１及び第２の挟持部材を閉鎖位置で施錠するシリンダ錠と、第１の挟持部材に支持され前記シリンダ錠のロータの正逆回転に連動してロック位置とアンロック位置との間を前記枢軸と平行に移動自在のデッドボルトとを具備し、
前記第１及び第２の挟持部材は、閉鎖位置において前記ナットと前記フランジリングを軸周りに相対回転自在に包囲する挟持凹部を具備し、
前記第２の挟持部材はさらに、閉鎖位置においてロック位置にある前記デッドボルトが係合する係合部を具備することを特徴とするナットのロック装置。
【請求項２】
前記第１の挟持部材と第２の挟持部材との間には、両者を開放位置へ付勢するばねが介設され、
前記第１の挟持部材と前記デッドボルトとの間には、当該デッドボルトをロック位置へ付勢するばねが介設され、
前記第２の挟持部材は、開放位置から閉鎖位置に至る前まで前記デッドボルトの先端を相対摺動させる摺動面と、閉鎖位置においてデッドボルトの先端部を落とし込む係合凹部とを具備し、
前記デッドボルトは、前記シリンダ錠のロータが施錠位置にあるとき解放され、ロータが解錠位置にあるとき前記ばねを圧縮してアンロック位置に配置されるようにロータに係合する受動係合部を具備することを特徴とする請求項１に記載のナットのロック装置。
【発明の詳細な説明】
【技術分野】
【０００１】
本発明は、無権限者によるボルト、ナットの取り外しを阻止するロック装置に関する。
【背景技術】
【０００２】
従来、被締め付け部材へ取り付けられたボルト、ナットをいたずらに取り外すことができないようにするいたずら防止金具が知られている（例えば特許文献１）。これは、ボルトの端部に螺合する固定リングと、ボルトの端部とナットとを覆って固定リングに係止される保護キャップとで構成される。固定リングの外径はナットの外径より大きい。保護キャップは、ナット及びボルトの突出端部を内部に隠す椀状部と、この椀状部を固定リングに係止する係止部とを有する。係止部は複数の折り返しばね片で構成される。折り返しばね片は椀状部の開放側端縁から内側へ傾斜して立ち上がり、先端部の配列内径が固定リングの外径より小さい。保護キャップを固定リングの上部に被せて打ち込めば、折り返しばね片が固定リングのナット側に係合して抜け止めされる。この金具は、被締め付け部材の盗難防止のためにも適用できる。
一方、複数枚の太陽電池パネルを一括して固定し、施錠により太陽電池パネルの盗難を防止できる固定装置が特許文献２に記載されている。この固定装置は、複数枚の太陽電池パネルの裏面に夫々取り付けられた複数の被係合部材と、複数枚の太陽電池パネルを支持する第１のフレームと、第１のフレームに対して相対的に移動し、複数枚の太陽電池パネルの裏面に夫々取り付けられた複数の被係合部材を一括して固定するための第２のフレームと、第２のフレームを第１のフレームに対して相対的に移動させるためのハンドルとを備える。ハンドルは、第２のフレームを複数の太陽電池パネルを固定する位置で錠前によって施錠可能に構成される。
【先行技術文献】
【特許文献】
【０００３】
【特許文献１】特開平１１−３１１２３５
【特許文献２】特開２０１３−４８６９
【発明の概要】
【発明が解決しようとする課題】
【０００４】
特許文献１に記載のナットのいたずら防止金具は、ボルトの端部側に保護キャップを装着するための作業空間がない取り付け場所での使用が不可能であるし、正当権限者による取り外しの操作も困難になるという課題がある。
特許文献２に記載の施錠できる太陽電池パネルの固定装置は、特殊構成の多数の部材からなる大がかりな装置であり、汎用性に欠けるという課題がある。
したがって、本発明は、無権限者によるボルト、ナットの取り外しを阻止するが、正当権限者による取り外し操作は容易であり、ボルトの端部側に十分な作業空間がない場所への装着が可能なナットのロック装置を提供することを目的としている。
【課題を解決するための手段】
【０００５】
以下、添付図面の符号を参照して説明するが、本発明はこれに限定されるものではない。
上記課題を解決するための、本発明のナットのロック装置１は、ボルト１０６が挿通される被締結物１０３とこのボルト１０６に螺合されるナッ１ト１０７との間に介設されるフランジリング２と、ナット１０７を包囲するようにフランジリング２を挟持して施錠可能な抱持体３とからなる。フランジリング２は、被締結物１０３との間に所要間隔を置いた位置においてナット１０７の外径の外側へ広がるフランジ部２３を具備する。抱持体３は、相互間を開閉自在の第１及び第２の挟持部材５，６と、第１の挟持部材５に固着されるシリンダ錠７と、第１の挟持部材５に支持されロック位置とアンロック位置との間を移動自在のデッドボルト８とを具備する。第１の挟持部材５と第２の挟持部材６は、装着時にボルト１０６と平行となる枢軸４により互いに枢支され、フランジリング２を挟持する閉鎖位置とこれを解放する開放位置との間で開閉自在である。シリンダ錠７は、第１の挟持部材５に固着され、デッドボルト８を介して、第１及び第２の挟持部材５，６を閉鎖位置で施錠する。第１及び第２の挟持部材５，６は、閉鎖位置においてナット１０７とフランジリング２を軸周り相対回転自在に包囲する挟持凹部５３１、６２１を具備する。第２の挟持部材６は、閉鎖位置においてロック位置にあるデッドボルト８が係合する係合部６１１ａを具備する。
【発明の効果】
【０００６】
本発明のナットのロック装置は無権限者によるボルト、ナットの取り外しを阻止するが、正当権限者による取り外し操作は容易であり、ボルトの端部側に十分な作業空間がない場所への装着が可能である。
【図面の簡単な説明】
【０００７】
【図１】本発明に係るナットのロック装置の分解斜視図である。
【図２】図１のナットのロック装置の反対方向からの分解斜視図である。
【図３】図１のナットのロック装置のアンロック状態の斜視図である。
【図４】図１のナットのロック装置のロック状態の斜視図である。
【図５】図１のナットのロック装置の正面図である。
【図６】図１のナットのロック装置の平面図である。
【図７】図１のナットのロック装置の側面図である。
【図８】図１のナットのロック装置の他側面図である。
【図９】図６におけるＩＸ−ＩＸ断面図である。
【図１０】図６におけるＸ−Ｘ断面図である。
【図１１】図１のナットのロック装置の太陽電池モジュールへの適用例を示す断面図である。
【発明を実施するための形態】
【０００８】
図面を参照して本発明の実施の形態を説明する。
図１において、第１の被締結部材１０３と第２の被締結部材１０５とは、ボルト１０６、ナット１０７にて締め付けることにより固定される。
図３、図９によく示すように、ロック装置１は、無権限者によるボルト１０６、ナット１０７の取り外しを阻止して、被締結部材１０３，１０５の盗難を防止するなどの目的で、当該ボルト１０６、ナット１０７に装着される。
【０００９】
ロック装置１は、フランジリング２と、抱持体３とからなる。フランジリング２は、ボルト１０６が挿通される被締結部材１０３と、このボルト１０６に螺合されるナット１０７との間に介設される。抱持体３は、ナット１０７を包囲するようにフランジリング２を挟持して施錠可能である。
【００１０】
図１によく示すように、フランジリング２は、円形底板部２１と、環状起立壁部２２と、フランジ部２３とを具備する。円形底板部２１は、ボルト挿通孔２１ａを有し、ナットの外径よりも大きな直径を有する。環状起立壁部２２は、円形底板部２１の外周縁からナット側（図１ないし図３において上方）へ、ナット１０７を包囲するように起立する。フランジ部２３は、環状起立壁部２２の上縁から半径方向外側へ広がる。したがって、フランジ部２３は、装着状態において、枠体フランジ１０３の上方に所要間隔を置いた位置において、ナット１０７の外径の外側へ広がる。
【００１１】
抱持体３は、装着時にボルト１０６と平行となる枢軸４により互いに枢支される第１及び第２の挟持部材５，６と、第１の挟持部材５に組み込まれるシリンダ錠７と、シリンダ錠７のロータに連動するデッドボルト８とを具備する。
【００１２】
第１の挟持部材５と第２の挟持部材６は、枢軸４を中心に相対回転して、フランジリング２を挟持する閉鎖位置（図４）と、これを解放する開放位置（図３）との間で相互間を開閉自在であり、両者間に介設されるばね９により開放位置へ付勢される。挟持部材５，６は、閉鎖位置において、ナット１０７とフランジリング２を軸周り相対回転自在に包囲し、これに対して軸線方向に抜け止めされる。
【００１３】
図１，２に示すように、第１の挟持部材５は、枢軸４とばね９を受ける軸受け筒部５１と、シリンダ錠７とデッドボルト８とを受け入れる機構収容部５２と、ナット１０７とフランジリング２のほぼ半周を包囲する挟持部５３とを具備する。
【００１４】
機構収容部５２内には、シリンダ錠７を、その回転軸線を枢軸４に対して直交方向に向けて受け入れる錠受け入れ凹部５２１と、デッドボルト８を枢軸４と平行（上下）に移動自在に受け入れるデッドボルト受け入れ凹部５２２が設けられる。錠受け入れ凹部５２１とデッドボルト受け入れ凹部５２２は、機構収容部５２内において連通している。デッドボルト受け入れ凹部５２２は、デッドボルト８をボルト１０６の頭部方向（下方）へ突出させるように下方へ開放している。
【００１５】
図２に示すように、挟持部５３は、閉鎖位置において、ナット１０７とフランジリング２を包囲する空間を形成するための挟持凹部５３１とボルト１０６の余長部を突出させる挿通凹部５３２を具備する。
【００１６】
図１，２に示すように、第２の挟持部材６は、第１の挟持部材５の軸受け筒部５１を上下に挟んで枢軸４を挿通させるブラケット部６１と、ナット１０７とフランジリング２の他のほぼ半周を包囲する挟持部６２とを具備する。
【００１７】
ブラケット部６１の下方のブラケット片６１１は、上方のブラケット片６１２より広く、ほぼ扇型に延出し、その上面６１１ａに、閉鎖位置においてデッドボルト８が落ち込む係合凹部６１１ｂを具備する。ブラケット片６１１の上面６１１ａは、挟持部材５，６が、開放位置から閉鎖位置に至る前まで、デッドボルト８の先端を相対摺動させる摺動面を構成する。すなわち、摺動面６１１ａは、常時ロック位置に付勢されているデッドボルト８を挟持部材５，６が、閉鎖位置に至るまで凹部５２２内に押さえ込んでいる。
【００１８】
挟持部６２は、閉鎖位置において、ナット１０７とフランジリング２を包囲する空間を形成するための挟持凹部６２１とボルト１０６の余長部を突出させる挿通凹部６２２を具備する。
【００１９】
シリンダ錠７は、回転軸線を枢軸４に対して直交方向に向けて、第１の挟持部材５の受け入れ凹部５２１内に固着され、第１及び第２の挟持部材５，６を閉鎖位置においてデッドボルト８を介して施錠する。
【００２０】
デッドボルト８は、第１の挟持部材５の凹部５２２内に、下位のロック位置と上位のアンロック位置との間を移動自在に設けられ、ばね８１により、ロック方向へ付勢され、ロック位置において、凹部５２２から下方へ突出する（図１０）。デッドボルト８は、シリンダ錠７の先端部と対面する側面に、受動凹部８２を具備する。シリンダ錠７の駆動ピン７１が受動凹部８２内に突出しており、シリンダ錠７をキー７１により解錠方向に回転操作すると、駆動ピン７１が受動面８３を押して、デッドボルト８をアンロック位置へ配置する。したがって、デッドボルト８は、シリンダ錠７のロータが施錠位置にある間、ばね力によりロック方向へ押され、ロータが解錠位置に回されるとき、ばね８１を圧縮してアンロック位置に配置される。シリンダ錠７のロータが施錠位置にあっても、第１の挟持部材５と第２の挟持部材６とが閉鎖位置に至るまでは、デッドボルト８の先端が第２の挟持部材の摺動面６１１ａに当接している。第１の挟持部材５と第２の挟持部材６とが閉鎖位置に至ると、図１０に示すように、受け入れ凹部５２２と係合凹部６１１ｂとが対面し、デッドボルト８が突出して自動的に係合凹部６１１ｂに係合する。
【００２１】
本発明を太陽電池モジュールの固定用ボルト、ナットに適用した実施の形態を図１１に示す。太陽電池モジュール１０１は、枠体１０２の内向きの枠体フランジ１０３を架台のチャンネル鋼材１０４のフランジ１０５に、ボルト１０６、ナット１０７にて締め付けることにより固定される。
【００２２】
ロック装置１は、無権限者によるボルト１０６、ナット１０７の取り外しを阻止して、太陽電池モジュール１０１の盗難を防止するために、当該ボルト１０６、ナット１０７に装着される。
【００２３】
太陽電池モジュール１０１をチャンネル鋼材１０４上に固定する場合には、ロック装置１は、これまでの説明とは上下反転して装着される。ボルト１０６を枠体フランジ１０３側から鋼材フランジ１０５へ下向きに挿通し、ボルト１０６に順次フランジリング２、ワッシャ１０８を装着し、ナット１０７を螺合して締め付けを完了する。
【００２４】
抱持体３を装着するとき、挟持部材５，６は、図３に示すように、ばね９により開放状態にあり、シリンダ錠７は、施錠状態で、キー７２が抜き取られ、デッドボルト８は、ばね８１でロック方向へ付勢されているが、先端が挟持部材６の摺動面６１１ａに当接して凹部５２２内に押さえられている。挟持部材５，６間にフランジリング２とナット１０７を配置し、図４，６に示すように、両者間を閉鎖すると、フランジリング２とナット１０７が抱持されると同時に、図１０に示すように、デッドボルト８が挟持部材６の係合凹部６１１ｂに落ち込んで、閉鎖状態でロックされる。キー７２の操作で解錠しない限り、ナット１０７を緩めることができない。頭部側からボルト１０６を回転させても、ナット１０７は緩まない。
【００２５】
この状態で、正当権限者がキー７２の操作で解錠すると、駆動突起７１によりデッドボルト８がアンロック位置へ押されて係合凹部６１１ｂから抜け、同時にばね９により挟持部材５，６間が開く。キー７２は施錠位置に戻して抜き取ることができる。
【００２６】
このナットのロック装置１は、無権限者によるボルト、ナットの取り外しを有効に阻止するが、正当権限者による取り外し操作はキー７２により容易に行える。ナット１０７に対して軸線直交方向から装着できるので、ボルト１０６の端部側に十分な作業空間がない場所でも装着が可能である。
【符号の説明】
【００２７】
１    ロック装置
２    フランジリング
２１  円形底板部
２２  環状起立壁部
２３  フランジ部
３    抱持体
４    枢軸
５    第１の挟持部材
５１  軸受け筒部
５２  機構収容部
５２１  錠受け入れ凹部
５２２  デッドボルト受け入れ凹部
５３  挟持部
５３１  挟持凹部
５３２  挿通凹部
６    第２の挟持部材
６１  ブラケット
６１１  ブラケット片
６１１ａ  摺動面
６１１ｂ  係合凹部
６１２  ブラケット片
６２  挟持部
６２１  挟持凹部
６２２  挿通凹部
７    シリンダ錠
７１  駆動ピン
７２  キー
８    デッドボルト
９    ばね
１０１  太陽電池モジュール
１０２  枠体
１０３  枠体フランジ
１０４  チャンネル鋼材
１０５  フランジ
１０６  ボルト
１０７  ナット
１０８  ワッシャ
【図１】
0005647281.tif 000002
【図２】
0005647281.tif 000003
【図３】
0005647281.tif 000004
【図４】
0005647281.tif 000005
【図５】
0005647281.tif 000006
【図６】
0005647281.tif 000007
【図７】
0005647281.tif 000008
【図８】
0005647281.tif 000009
【図９】
0005647281.tif 000010
【図１０】
0005647281.tif 000011
【図１１】
0005647281.tif 000012